(57)【要約】【課題】増設信号の入力による信号干渉を防止できる波長多重装置等を提供する。【解決手段】波長多重装置は、光信号を出力する複数のＴＲＰＮと、ＴＲＰＮ毎に備えられ、ＴＲＰＮからの光信号の出力レベルを調整するＶＯＡと、調整された各光信号を多重化する第１のＣＰＬとを有する。波長多重装置は、多重化された光信号の出力レベルを波長単位で検出するＯＣＭを有する。波長多重装置は、増設信号が検出されると、他の光信号との間の干渉エラーが発生せず、かつ、ＯＣＭが光信号の出力レベルを検出可能とする出力レベルの検出範囲内に収まるように増設信号対応のＶＯＡを制御する第１の制御部を有する。波長多重装置は、増設信号に関わる設定波長の出力レベルが検出範囲内の検出閾値以上であるか否かを判定する監視部と、判定結果に基づき、増設信号対応のＶＯＡを制御する第２の制御部とを有する。【選択図】図１
2015164264.tif 000002
【特許請求の範囲】
【請求項１】
光信号を出力する複数の光送信部と、
前記光送信部毎に備えられ、当該光送信部からの光信号の出力レベルを調整する調整部と、
前記調整部にて調整された各光信号を多重化する多重化部と、
前記多重化部にて多重化された前記光信号の出力レベルを波長単位で検出する検出部と、
前記光送信部から設定対象の光信号が検出されると、前記光送信部からの他の光信号との間の干渉エラーが発生しない出力レベルの検出範囲内に収まるように前記設定対象の光信号の出力レベルを調整する前記調整部を制御する第１の制御部と、
前記検出部で検出された前記設定対象の光信号に関わる設定波長の出力レベルに基づき、前記設定対象の光信号の出力レベルを調整する前記調整部を制御する第２の制御部と
を有することを特徴とする波長多重装置。
【請求項２】
前記設定対象の光信号に関わる設定波長の出力レベルが前記検出範囲内の基準レベル以上であるか否かを判定する判定部をさらに有し、
前記第２の制御部は、
前記判定部の判定結果に基づき、前記設定対象の光信号の出力レベルを調整する前記調整部を制御することを特徴とする請求項１に記載の波長多重装置。
【請求項３】
前記第２の制御部は、
前記検出部の検出結果に基づき、前記設定対象の光信号に関わる前記設定波長の出力レベルが前記基準レベル以上でない場合に前記設定対象の光信号の出力を遮断するように前記調整部を制御すると共に、前記設定対象の光信号に関わる前記設定波長の出力レベルが前記基準レベル以上の場合に前記設定対象の光信号の出力レベルを通常の運用レベルに調整するように前記調整部を制御することを特徴とする請求項２に記載の波長多重装置。
【請求項４】
前記第１の制御部は、
前記検出部にて前記設定対象の光信号の出力レベルを検出可能とする出力レベルを含む前記検出範囲内に収まるように前記設定対象の光信号の出力レベルを調整する前記調整部を制御することを特徴とする請求項１〜３の何れか一つに記載の波長多重装置。
【請求項５】
前記判定部は、
前記設定対象の光信号が検出されたタイミングから所定時間経過後に前記設定対象の光信号に関わる前記設定波長の出力レベルが前記基準レベル以上であるか否かを判定することを特徴とする請求項２〜４の何れか一つに記載の波長多重装置。
【請求項６】
光信号を出力する複数の光送信部と、
前記光送信部毎に備えられ、当該光送信部からの光信号の出力レベルを調整する調整部と、
前記調整部にて調整された各光信号を多重化する多重化部と、
前記多重化部にて多重化された前記光信号の出力レベルを波長単位で検出する検出部と、
前記光送信部から設定対象の光信号が検出されると、前記光送信部からの他の光信号との間の干渉エラーが発生しない出力レベルの検出範囲内に収まるように前記設定対象の光信号の出力レベルを調整する前記調整部を制御する第１の制御部と、
前記検出部で検出された前記設定対象の光信号に関わる設定波長の出力レベルに基づき、前記設定対象の光信号の出力レベルを調整する前記調整部を制御する第２の制御部と
を有することを特徴とする光伝送装置。
【請求項７】
光信号を出力する複数の光送信部と、前記光送信部毎に備えられ、当該光送信部からの光信号の出力レベルを調整する調整部と、前記調整部にて調整された各光信号を多重化する多重化部と、前記多重化部にて多重化された前記光信号の出力レベルを波長単位で検出する検出部とを有する波長多重装置の波長多重方法であって、
前記波長多重装置は、
前記光送信部から設定対象の光信号が検出されると、前記光送信部からの他の光信号との間の干渉エラーが発生しない出力レベルの検出範囲内に収まるように前記設定対象の光信号の出力レベルを調整する前記調整部を制御し、
前記検出部で検出された前記設定対象の光信号に関わる設定波長の出力レベルに基づき、前記設定対象の光信号の出力レベルを調整する前記調整部を制御する
処理を実行することを特徴とする波長多重方法。
【発明の詳細な説明】
【技術分野】
【０００１】
本発明は、波長多重装置、光伝送装置及び波長多重方法に関する。
【背景技術】
【０００２】
光ＷＤＭ（Wavelength  Division  Multiplex：波長分割多重）伝送システムでは、各波長多重装置（各光伝送装置）内において、複数の波長の光信号がＣＰＬ(Coupler)にて合波される。また、複数の波長の光信号が、それぞれ異なる入力ポートから入力される場合がある。このとき、運用前の接続作業で、例えば、オペレータによる光ファイバの誤接続や、新たに増設された光信号の光波長の誤設定が発生する場合がある。具体的には、増設された光信号が、光送信器の故障等の理由により、運用中の光信号と同一波長になってしまう場合がある。更に、この増設された光信号が運用中の光信号と同じＣＰＬに入力されるという状況も起こり得る。この場合、運用中の光信号と増設された光信号との間で信号干渉が生じ、運用中の光信号にエラーが生じる。
【０００３】
そこで、波長多重装置では、光信号が増設され、運用中の光信号の波長と同じ波長の光信号が、新たに入力された場合に、増設された光信号の出力を遮断することにより、運用中の光信号に生じるエラーを復旧させる技術が知られている。
【先行技術文献】
【特許文献】
【０００４】
【特許文献１】特開２００６−７４０９８号公報
【発明の概要】
【発明が解決しようとする課題】
【０００５】
波長多重装置は、波長毎の光信号の出力レベルを監視し、運用中の光信号と同一波長の光信号が入力されたことが検出されると、その増設された光信号の出力を遮断する。しかしながら、光送信器側でこの増設光信号の出力が遮断されるまでは、光送信器側から増設光信号が継続して出力されてしまう。従って、増設された光信号の出力が遮断されるまでの間、増設光信号による運用中の光信号のエラーも継続してしまう。
【０００６】
一つの側面では、設定対象の光信号の入力による信号干渉を防止できる波長多重装置、光伝送装置及び波長多重方法を提供することを目的とする。
【課題を解決するための手段】
【０００７】
一つの案の波長多重装置は、光送信部と、調整部と、多重化部と、検出部と、第１の制御部と、第２の制御部とを有する。光送信部は、光信号を出力する。調整部は、光送信部毎に備えられ、当該光送信部からの光信号の出力レベルを調整する。多重化部は、調整部にて調整された各光信号を多重化する。検出部は、多重化部にて多重化された光信号の出力レベルを波長単位で検出する。第１の制御部は、光送信部から設定対象の光信号が検出されると、光送信部からの他の光信号との間の干渉エラーが発生しない出力レベルの検出範囲内に収まるように設定対象の光信号の出力レベルを調整する調整部を制御する。第２の制御部は、検出部で検出された設定対象の光信号に関わる設定波長の出力レベルに基づき、設定対象の光信号の出力レベルを調整する調整部を制御する。
【発明の効果】
【０００８】
設定対象の光信号の入力による信号干渉を防止できる。
【図面の簡単な説明】
【０００９】
【図１】図１は、実施例１の波長多重装置の一例を示す説明図である。
【図２】図２は、増設信号正常時の各光信号の一例を示す説明図である。
【図３】図３は、増設信号異常時の各光信号の一例を示す説明図である。
【図４】図４は、波長多重装置に関わる増設信号正常時の処理動作の一例を示すタイミングチャートである。
【図５】図５は、波長多重装置に関わる増設信号異常時の処理動作の一例を示すタイミングチャートである。
【図６】図６は、ＶＯＡ制御処理に関わる波長多重装置の処理動作の一例を示すフローチャートである。
【図７】図７は、実施例２の波長多重装置の一例を示す説明図である。
【発明を実施するための形態】
【００１０】
以下、図面に基づいて、本願の開示する波長多重装置、光伝送装置及び波長多重方法の実施例を詳細に説明する。尚、本実施例により、開示技術が限定されるものではない。以下の各実施例は、適宜、組合せても良い。
【実施例１】
【００１１】
図１は、実施例１の波長多重装置の一例を示す説明図である。図１に示す光ＷＤＭ伝送システム内の波長多重装置１は、複数の光送信部（単にＴＲＰＮと称する：Transponder）２と、ユーザ側インタフェース部３と、ネットワーク側インタフェース部４とを有する。各ＴＲＰＮ２は、所望波長の光信号を出力する。ユーザ側インタフェース部３は、各ＴＲＰＮ２と接続するインタフェースに相当する。ユーザ側インタフェース部３は、第１のＣＮ（Connector)１１と、ＰＤ（Photo  Diode）１２と、ＶＯＡ(Variable  Optical  Attenuator)１３と、第１のＣＰＬ(Coupler)１４と、第２のＣＮ(Connector)１５と、信号処理部１６とを有する。
【００１２】
第１のＣＮ１１は、ＴＲＰＮ２毎に接続するポートのコネクタに相当し、ＴＲＰＮ２からの光信号を入力する。ＰＤ１２は、第１のＣＮ１１経由でＴＲＰＮ２からの光信号を受光するフォトダイオードである。ＶＯＡ１３は、ＰＤ１２毎に備えられ、ＰＤ１２で受光した光信号の出力レベルを減衰する可変減衰部である。第１のＣＰＬ１４は、各ＶＯＡ１３で減衰した光信号を多重化した光多重化信号を出力するカプラである。第２のＣＮ１５は、ネットワーク側インタフェース部４と接続するコネクタに相当し、第１のＣＰＬ１４で多重化した光多重化信号を出力する。信号処理部１６は、各ＶＯＡ１３の減衰量を調整すべく、ＶＯＡ１３を制御する。
【００１３】
ネットワーク側インタフェース部４は、ネットワーク側に接続するインタフェースに相当する。ネットワーク側インタフェース部４は、第３のＣＮ２１と、ＷＳＳ（Wavelength  Selective  Switch）２２と、第２のＣＰＬ２３と、第４のＣＮ２４と、ＯＣＭ(Optical  Channel  Monitor)２５と、監視部２６とを有する。第３のＣＮ２１は、ユーザ側インタフェース部３内の第２のＣＮ１５と接続するコネクタである。ＷＳＳ２２は、ユーザ側インタフェース部３からの光多重化信号から任意の光波長の光信号を選択して出力する波長選択スイッチである。第２のＣＰＬ２３は、任意の光波長の光信号を光分岐するカプラである。第４のＣＮ２４は、ネットワークと接続するコネクタである。ＯＣＭ２５は、ＷＳＳ２２で選択された任意波長の光信号の出力レベルを波長単位で検出する、例えば、光スペクトルアナライザ等である。
【００１４】
監視部２６は、ＯＣＭ２５の検出結果に基づき、新規に入力した増設信号の出力レベルを監視する。図２は、増設信号正常時の各光信号の一例を示す説明図である。尚、運用中信号の光波長をλ１、増設信号の光波長をλ２とする。監視部２６は、オペレータ側の設定操作に応じて増設信号の入力ポートである第１のＣＮ１１及び増設信号の光波長λ２を設定する設定情報を取得する。監視部２６は、増設信号の設定波長の出力レベルが検出閾値Ｌ以上であるか否かを判定する。尚、検出閾値Ｌは、増設信号が運用中信号と同一波長の場合でも、運用中信号との間で干渉エラーが発生しなくなる出力レベルを上限とし、ＯＣＭ２５で増設信号の出力レベルを検出可能にする出力レベルを下限とする検出範囲内の基準レベルに相当する。検出範囲は、ＯＣＭ２５の検出閾値の個体バラツキや運用中信号のバラツキを考慮したマージンを含む範囲である。
【００１５】
監視部２６は、増設信号の設定波長の出力レベルが検出閾値Ｌ以上であるか否かの判定結果に基づき、増設信号の異常又は正常を判定する。監視部２６は、図２の（Ａ）及び（Ｂ）に示すように増設信号の設定波長λ２の出力レベルＬ１が検出閾値Ｌ以上の場合、増設信号が正常と判定する。
【００１６】
図３は、増設信号異常時の各光信号の一例を示す説明図である。尚、運用中信号の光波長がλ１、増設信号の設定波長がλ２であるにも関わらず、ＴＲＮＰ２の故障で光波長λ１の増設信号を出力しているものとする。監視部２６は、図３の（Ａ）及び（Ｂ）に示すように増設信号の設定波長λ２の出力レベルが検出閾値Ｌ以上でない場合、本来出力されるべき増設信号の設定波長λ２の出力レベルが検出されないため、増設信号の異常と判定する。尚、図３の（Ｂ）では、運用中信号と同一の光波長λ１の増設信号が入力されるため、若干、その出力レベルが大きくなるものの、増設信号の出力レベルが検出範囲内に収まっているため、増設信号の入力による運用中信号への信号干渉が発生していない状態である。
【００１７】
信号処理部１６は、第１の制御部１６Ａと、第２の制御部１６Ｂとを有する。第１の制御部１６Ａ及び第２の制御部１６Ｂは、増設信号対応のＶＯＡ１３を制御する。尚、増設信号対応のＶＯＡ１３とは、例えば、増設信号を出力するＴＲＰＮ２及び第１のＣＮ１１に対応し、その増設信号の出力レベルを調整するＶＯＡ１３である。第１の制御部１６Ａは、ＰＤ１２でＴＲＰＮ２からの増設信号が検出されると、増設信号の出力レベルが検出範囲内に収まるように増設信号を減衰すべく、増設信号対応のＶＯＡ１３を制御する。第１の制御部１６Ａは、増設信号対応のＶＯＡ１３の減衰量を所定減衰量に設定することで、増設信号の出力レベルを検出範囲内に収める。
【００１８】
第２の制御部１６Ｂは、監視部２６の判定結果に基づき、増設信号が正常と判定された場合、図２の（Ｃ）に示すように増設信号の出力レベルを通常の運用レベルに戻すべく、増設信号対応のＶＯＡ１３を制御する。第２の制御部１６Ｂは、監視部２６の判定結果に基づき、増設信号の異常と判定された場合に、図３の（Ｃ）に示すように増設信号の出力を遮断すべく、増設信号対応のＶＯＡ１３を制御する。更に、第２の制御部１６Ｂは、増設信号の異常と判定された場合、増設信号の異常を示す警報を報知出力するものとする。
【００１９】
次に、実施例１の波長多重装置１の動作について説明する。図４は、波長多重装置１に関わる増設信号正常時の処理動作の一例を示すタイミングチャートである。尚、第１のＣＮ１１（Ｃ１）から運用中信号として光波長λ１、第１のＣＮ１１（Ｃ２）から増設信号として光波長λ２を設定するものとする。図４において波長多重装置１は、光波長λ１の光信号の運用中に(ステップＳ１１)、オペレータ側の設定操作に応じて、増設信号対応の第１のＣＮ１１（Ｃ２）に増設信号対応のＴＲＰＮ２から光波長λ２の増設信号の入力等の設定情報を設定する(ステップＳ１２)。
【００２０】
波長多重装置１のＯＣＭ２５は、増設信号対応のＰＤ１２を通じて増設信号を検出すると(ステップＳ１３)、増設信号の設定波長の出力レベルの検出完了に要するＯＣＭ２５のモニタ時間に関わる規定時間のカウントを開始する(ステップＳ１４)。更に、波長多重装置１の第１の制御部１６Ａは、ステップＳ１３の増設信号対応のＰＤ１２を通じて増設信号を検出すると、増設信号対応のＶＯＡ１３に所定減衰量を設定する(ステップＳ１５)。その結果、増設信号対応のＶＯＡ１３は、所定減衰量に基づき、図２（Ｂ）に示すように増設信号の出力レベルを検出範囲内に収まるように減衰する(ステップＳ１６)。
【００２１】
波長多重装置１の監視部２６は、ＯＣＭ２５のモニタ時間が規定時間を経過した後、増設信号対応のＴＲＰＮ２からの増設信号の設定波長λ２の出力レベルが検出閾値Ｌ以上であるか否かを判定する。監視部２６は、図２の（Ｂ）に示すように増設信号の設定波長λ２の出力レベルが検出閾値Ｌ以上の場合、増設信号の正常と判定する(ステップＳ１７)。波長多重装置１の第２の制御部１６Ｂは、増設信号の正常と判定した場合に増設信号対応のＶＯＡ１３を通常の運用レベルに設定する(ステップＳ１８)。増設信号対応のＶＯＡ１３は、光波長λ２の増設信号の出力レベルを通常の運用レベルに出力する(ステップＳ１９、Ｓ１９Ａ)。
【００２２】
図４に示す処理の波長多重装置１は、増設信号を検出すると、増設信号の出力レベルを所定量減衰し、ＯＣＭ２５のモニタ時間の規定時間経過後、増設信号の設定波長の出力レベルが検出閾値Ｌ以上の場合、増設信号の正常と判定する。更に、波長多重装置１は、増設信号の正常と判定された場合、その増設信号対応のＶＯＡ１３を通常の運用レベルに設定し、運用レベルの増設信号を出力できる。
【００２３】
図５は、波長多重装置１に関わる増設信号異常時の処理動作の一例を示すタイミングチャートである。尚、第１のＣＮ１１（Ｃ１）から運用中信号として光波長λ１、第１のＣＮ１１（Ｃ２）から増設信号の設定波長として光波長λ２を設定しているものの、例えば、増設信号対応のＴＲＰＮ２の故障で光波長λ１の増設信号を出力しているものとする。
【００２４】
波長多重装置１は、光波長λ１の光信号の運用中に(ステップＳ２１)、オペレータ側の設定操作に応じて増設信号対応の第１のＣＮ１１（Ｃ２）に増設信号対応のＴＲＰＮ２から設定波長λ２の増設信号の入力等の設定情報を設定する(ステップＳ２２)。
【００２５】
波長多重装置１のＯＣＭ２５は、増設信号対応のＰＤ１２を通じて増設信号を検出すると(ステップＳ２３)、ＯＣＭ２５のモニタ時間に関わる規定時間のカウントを開始する(ステップＳ２４)。更に、波長多重装置１の第１の制御部１６Ａは、ステップＳ２３の増設信号対応のＰＤ１２を通じて増設信号を検出すると、増設信号対応のＶＯＡ１３に所定減衰量を設定する(ステップＳ２５)。その結果、増設信号対応のＶＯＡ１３は、所定減衰量に基づき、図３の（Ｂ）に示すように増設信号の出力レベルを検出範囲内に収まるように減衰する(ステップＳ２６)。
【００２６】
波長多重装置１の監視部２６は、ＯＣＭ２５のモニタ時間が規定時間を経過した後、増設信号対応のＴＲＰＮ２からの増設信号の設定波長の出力レベルが検出閾値Ｌ以上でない場合、増設信号の異常と判定する(ステップＳ２７)。尚、監視部２６は、増設信号が光波長λ２ではなく光波長λ１であるため、設定波長である光波長λ２の増設信号がなく、増設信号の異常と判定する。
【００２７】
波長多重装置１の第２の制御部１６Ｂは、増設信号の異常と判定した場合に増設信号対応のＶＯＡ１３に増設信号の出力遮断を設定する(ステップＳ２８)。そして、第２の制御部１６Ｂは、増設信号の異常と判定した場合、増設信号の異常の警報を報知出力する(ステップＳ２８Ａ)。その結果、オペレータは、警報の報知出力で増設信号の異常を認識できる。
【００２８】
増設信号対応のＶＯＡ１３は、第２の制御部１６Ｂからの増設信号の出力遮断の設定に応じて、増設信号の出力を遮断する(ステップＳ２９)。その結果、波長多重装置１は、増設信号が異常の場合、増設信号の出力レベルを遮断する。
【００２９】
図５に示す処理の波長多重装置１は、増設信号を検出すると、増設信号の出力レベルを所定量減衰し、ＯＣＭ２５のモニタ時間の規定時間経過後、増設信号の設定波長の出力レベルが検出閾値Ｌ以上でない場合、増設信号が異常と判定する。更に、波長多重装置１は、増設信号の異常と判定された場合、その増設信号対応のＶＯＡ１３に出力遮断を設定して増設信号の出力を遮断する。その結果、波長多重装置１は、運用中信号と同一波長の増設信号が入力されたとしても、増設信号の出力レベルが検出範囲内に減衰されるため、増設信号の出力遮断前でも、増設信号の入力による運用中信号への信号干渉を防止できる。
【００３０】
波長多重装置１は、増設信号の異常と判定された場合、増設信号の異常の警報をオペレータに報知出力するため、オペレータは、警報で増設信号の異常を認識できる。
【００３１】
図６は、ＶＯＡ制御処理に関わる波長多重装置１の処理動作の一例を示すフローチャートである。図６に示すＶＯＡ制御処理は、増設信号の異常と判断された場合、増設信号の出力を遮断すると共に、増設信号の正常と判断された場合、増設信号の出力を運用レベルに戻すべく、増設信号対応のＶＯＡを制御する処理である。
【００３２】
波長多重装置１の監視部２６は、ＰＤ１２を通じて増設信号を検出したか否かを判定する(ステップＳ３１)。監視部２６は、増設信号を検出した場合(ステップＳ３１肯定)、ＯＣＭ２５のモニタ時間の規定時間カウントを開始し(ステップＳ３２)。波長多重装置１の第１の制御部１６Ａは、増設信号の出力レベルを検出範囲内に収まるように所定減衰量分だけ減衰すべく、増設信号対応のＶＯＡ１３を制御する(ステップＳ３３)。
【００３３】
第１の制御部１６Ａは、増設信号対応のＶＯＡ１３を制御した後、ＯＣＭ２５のモニタ時間が規定時間を超えたか否かを判定する(ステップＳ３４)。波長多重装置１の第２の制御部１６Ｂは、ＯＣＭ２５のモニタ時間が規定時間を超えた場合(ステップＳ３４肯定)、ＯＣＭ２５の増設信号対応の設定波長の出力レベルを検出する(ステップＳ３５)。第２の制御部１６Ｂは、増設信号対応の設定波長の出力レベルが検出閾値Ｌ以上であるか否かを判定する(ステップＳ３６)。
【００３４】
第２の制御部１６Ｂは、増設信号対応の設定波長の出力レベルが検出閾値Ｌ以上の場合(ステップＳ３６肯定)、増設信号の正常と判断し、増設信号の出力レベルを通常の運用レベルに戻すべく、増設信号対応のＶＯＡ１３を制御する(ステップＳ３７)。
【００３５】
第２の制御部１６Ｂは、増設信号の出力レベルを通常の運用レベルに戻すべく、増設信号対応のＶＯＡ１３を制御した後、図６に示す処理動作を終了する。
【００３６】
第２の制御部１６Ｂは、増設信号対応の設定波長の出力レベルが検出閾値Ｌ以上でない場合(ステップＳ３６否定)、増設信号の異常と判断し、増設信号の出力を遮断すべく、増設信号対応のＶＯＡ１３を制御する(ステップＳ３８)。更に、第２の制御部１６Ｂは、増設信号の出力を遮断した後、増設信号の異常を示す警報を報知出力し(ステップＳ３９)、図６に示す処理動作を終了する。その結果、オペレータは、警報で増設信号の異常を認識できる。
【００３７】
監視部２６は、増設信号を検出したのでない場合(ステップＳ３１否定)、図６に示す処理動作を終了する。監視部２６は、モニタ時間が規定時間を超えていない場合(ステップＳ３４否定)、モニタ時間が規定時間を超えたか否かを監視すべく、ステップＳ３４に移行する。
【００３８】
波長多重装置１は、増設信号を検出すると、増設信号の出力レベルを所定量減衰し、ＯＣＭ２５のモニタ時間の規定時間経過後、増設信号の設定波長の出力レベルが検出閾値Ｌ以上の場合、増設信号の正常と判定する。更に、波長多重装置１は、増設信号の正常と判定された場合、その増設信号対応のＶＯＡ１３を通常の運用レベルに設定するため、増設信号を出力できる。その結果、波長多重装置１は、運用中信号と同一波長の増設信号が入力されたとしても、先ずは、増設信号の出力レベルが検出範囲内に減衰されることになるため、増設信号の出力遮断前でも、増設信号の入力による運用中信号への信号干渉を防止できる。
【００３９】
波長多重装置１は、増設信号を検出すると、増設信号の出力レベルを所定量減衰し、ＯＣＭ２５のモニタ時間の規定時間経過後、増設信号の設定波長の出力レベルが検出閾値Ｌ以上でない場合、増設信号が異常と判定する。更に、波長多重装置１は、増設信号が異常と判定された場合、その増設信号対応のＶＯＡ１３で増設信号の出力を遮断する。その結果、波長多重装置１は、運用中信号と同一波長の増設信号が入力されたとしても、先ずは、増設信号の出力レベルが検出範囲内に減衰されることになるため、増設信号の異常時の出力遮断前でも、増設信号の入力による運用中信号への信号干渉を防止できる。つまり、増設信号の入力による運用中信号へのコヒーレントクロストークの信号干渉を防止できる。
【００４０】
波長多重装置１は、増設信号の異常と判定された場合、増設信号の異常の警報をオペレータに報知出力するため、オペレータは、警報で増設信号の異常を認識できる。
【００４１】
上記実施例１の波長多重装置１は、ユーザ側インタフェース部３及びネットワーク側インタフェース部４を１対１の構成とした。しかしながら、波長多重装置は、ユーザ側インタフェース部を複数備え、単一のネットワーク側インタフェース部で監視する多対１の構成としても良く、この場合の実施の形態につき、実施例２として以下に説明する。
【実施例２】
【００４２】
図７は、実施例２の波長多重装置の一例を示す説明図である。尚、図１に示す波長多重装置１と同一の構成には同一符号を付すことで、その重複する構成及び動作の説明については省略する。図７に示す波長多重装置１Ａは、複数のユーザ側インタフェース部３Ａを有し、ネットワーク側インタフェース部４Ａの監視部２６が増設信号の設定波長の出力レベルが基準レベル以上であるか否かを判定する。
【００４３】
ネットワーク側インタフェース部４Ａの監視部２６は、オペレータ側の設定操作に応じて各ユーザ側インタフェース部３Ａ側の増設信号の入力ポート及び増設信号の設定波長等の設定情報を取得する。
【００４４】
監視部２６は、設定情報に基づき増設信号の設定波長の出力レベルが基準レベル以上であるか否かを判定する。監視部２６は、増設信号の設定波長の出力レベルが基準レベル以上であるか否かの判定結果に基づき、増設信号の異常又は正常を判定する。そして、監視部２６は、増設信号の異常又は正常の判定結果を増設信号対応のユーザ側インタフェース部３Ａに通知する。
【００４５】
増設信号対応のユーザ側インタフェース部３Ａの信号処理部１６内の第２の制御部１６Ｂは、監視部２６の判定結果に基づき、増設信号の異常と判定された場合、増設信号の出力を遮断すべく、増設信号対応のＶＯＡ１３を制御する。また、第２の制御部１６Ｂは、増設信号の正常と判定された場合、増設信号対応のＶＯＡ１３を通常の運用レベルに戻すべく、増設信号対応のＶＯＡ１３を制御する。
【００４６】
実施例２の波長多重装置１Ａは、複数のユーザ側インタフェース部３Ａの内、運用中信号と同一波長の増設信号が入力された場合でも、１個のネットワーク側インタフェース部４Ａの監視部２６で増設信号の正常又は異常を判定する。波長多重装置１Ａの監視部２６は、その判定結果を増設信号対応のユーザ側インタフェース部３Ａの信号処理部１６に通知する。そして、増設信号対応のユーザ側インタフェース部３Ａの信号処理部１６は、その判定結果に基づき、増設信号が正常の場合、増設信号の通常の運用レベルに戻すべく、増設信号対応のＶＯＡ１３を制御できる。
【００４７】
増設信号対応のユーザ側インタフェース部３Ａの信号処理部１６は、その判定結果に基づき、増設信号が異常の場合、増設信号の出力を遮断すべく、増設信号対応のＶＯＡ１３を制御できる。その結果、波長多重装置１Ａは、運用中信号と同一波長の増設信号が入力されたとしても、増設信号の出力レベルが検出範囲内に減衰し、増設信号の出力遮断前でも増設信号の入力による運用中信号への信号干渉を防止できる。
【００４８】
また、波長多重装置１Ａは、ユーザ側インタフェース部３Ａを複数内蔵した場合でも、単一のネットワーク側インタフェース部４Ａ側のＯＣＭ２５及び監視部２６で済むため、その回路構成が複雑になることはなく、その実装面積やコスト面からも有利である。
【００４９】
尚、上記実施例では、ＴＲＰＮ２の故障で運用中信号の光波長と同一波長の増設信号を入力した場合を例示した。しかしながら、例えば、オペレータによる光ファイバの誤接続や増設信号の光波長の誤設定等で運用中信号の光波長と同一波長の増設信号が入力された場合にも適用可能である。
【００５０】
上記実施例では、新規の増設信号を対象としたが、新規の増設信号に限定されるものではなく、複数の光信号の内、オペレータが設定対象の光信号を指定し、この指定された設定対象の光信号を対象としても良い。
【００５１】
上記実施例では、増設信号の異常と判定された場合、増設信号対応のＶＯＡ１３で増設信号の出力を遮断するようにしたが、増設信号対応のＴＲＰＮ２の光信号の出力を停止するようにしても良い。
【００５２】
また、上記実施例では、波長多重装置を例示したが、波長多重装置を内蔵した光伝送装置にも適用可能である。
【００５３】
また、図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【００５４】
更に、各装置で行われる各種処理機能は、ＣＰＵ（Central  Processing  Unit）（又はＭＰＵ（Micro  Processing  Unit）、ＭＣＵ（Micro  Controller  Unit）等のマイクロ・コンピュータ）上で、その全部又は任意の一部を実行するようにしても良い。また、各種処理機能は、ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしても良いことは言うまでもない。
【符号の説明】
【００５５】
１  多重波長装置
１Ａ  多重波長装置
２  ＴＲＰＮ
１３  ＶＯＡ
１４  第１のＣＰＬ
１６Ａ  第１の制御部
１６Ｂ  第２の制御部
２５  ＯＣＭ
２６  監視部
【図１】
2015164264.tif 000003
【図２】
2015164264.tif 000004
【図３】
2015164264.tif 000005
【図４】
2015164264.tif 000006
【図５】
2015164264.tif 000007
【図６】
2015164264.tif 000008
【図７】
2015164264.tif 000009